(57)【要約】【課題】練習者が取りに行きやすい位置にボールを誘導できる補助ゴールネットおよびゴールの提供。【解決手段】本発明の補助ネットは、少なくとも奥面と左側面と右側面とで囲まれた球技用ゴールに備えられる。さらに、補助ネットは、上辺と下辺と左辺と右辺とによって囲まれ、手前側になるほど低くなるように傾斜した矩形平面状の形状を有し、上記左辺が上記左側面と接続し、上記右辺が上記右側面と接続し、上記下辺は上記ゴールと接続しない、ことを特徴とする。【選択図】図１
2018108268.tif 000002
【特許請求の範囲】
【請求項１】
少なくとも奥面と左側面と右側面とで囲まれた球技用ゴールに備えられる補助ネットであって、
上辺と下辺と左辺と右辺とによって囲まれ、手前側になるほど低くなるように傾斜した矩形平面状の形状を有し、
上記左辺が上記左側面と接続し、上記右辺が上記右側面と接続し、上記下辺は上記ゴールと接続しない、
ことを特徴とする補助ネット。
【請求項２】
上記左辺が上記左側面から取り外され、上記右辺が上記右側面から取り外され、上記上辺が上記奥面と接続した状態において、
上記奥面に保持される、
請求項１に記載の補助ネット。
【請求項３】
上記左辺が上記左側面から取り外され、上記右辺が上記右側面から取り外され、上記上辺が上記奥面と接続した状態において、
上記奥面の少なくとも一部を構成する、
請求項１に記載の補助ネット。
【請求項４】
上記左辺が上記左側面と着脱可能であり、上記右辺が上記右側面と着脱可能であり、上記上辺が上記奥面と着脱可能である、
請求項１から請求項３のいずれか一項に記載の補助ネット。
【請求項５】
上記左辺と上記左側面のそれぞれにおいて複数備えられた環状部に紐を通すことにより上記左辺と上記左側面とが接続し、
上記右辺と上記右側面のそれぞれにおいて複数備えられた環状部に紐を通すことにより上記右辺と上記右側面とが接続する、
請求項２から請求項４のいずれか一項に記載の補助ネット。
【請求項６】
少なくとも奥面と左側面と右側面とで囲まれた球技用ゴールであって、
上辺と下辺と左辺と右辺とによって囲まれ、手前側になるほど低くなるように傾斜した矩形平面状の形状を有し、
上記左辺が上記左側面と接続し、上記右辺が上記右側面と接続し、上記下辺は上記ゴールと接続しない補助ネットを、
備えることを特徴とする球技用ゴール。
【発明の詳細な説明】
【技術分野】
【０００１】  本発明は、補助ゴールネットおよび球技用ゴールに関し、特にシュート練習を行うための補助ゴールネットおよび球技用ゴールに関する。
【背景技術】
【０００２】  シュート練習用具として、フレームに張られたネットによってボールを跳ね返すものが知られている（特許文献１、参照）。また、サッカーのシュート練習用を集団で行うための着脱式シュート練習用ゴールネットが知られている（特許文献２、参照）。
【先行技術文献】
【特許文献】
【０００３】
【特許文献１】特開２００４−５０８１１２号公報
【特許文献２】特開２０１３−２３６８７５号公報
【発明の概要】
【発明が解決しようとする課題】
【０００４】  特許文献１のシュート練習用具においては、ゴール手前の中央ではなく左右の側方からシュートを放った場合、シュートを放った側と反対側にボールが反射することとなり、ボールを取りに行くのが煩わしくなるという問題があった。【０００５】  特許文献２のゴールネットにおいては、左右の側方だけでなくゴール中央からシュートを放った場合でも、ゴールの側方にボールが誘導されることとなり、ボールを取りに行くのが煩わしくなるという問題があった。特許文献２において、ゴールの左側からシュートを放ったとすると、多くの場合、ボールは右サイドネット付近に着弾し、そのままゴールの右側に誘導されてしまう。従って、ゴール左側にシュートを放った練習者がゴールの右側までボールを取りに行くのが煩わしくなる。【０００６】  本発明は、上記課題にかんがみてなされたもので、練習者が取りに行きやすい位置にボールを誘導できる補助ゴールネットおよびゴールの提供を目的とする。
【課題を解決するための手段】
【０００７】  上記課題を解決するために、本発明の補助ネットは、少なくとも奥面と左側面と右側面とで囲まれた球技用ゴールに備えられる補助ネットであって、上辺と下辺と左辺と右辺とによって囲まれ、手前側になるほど低くなるように傾斜した矩形平面状の形状を有するとともに、左辺が左側面と接続し、右辺が右側面と接続し、下辺はゴールと接続しない。【０００８】  また、本発明の球技用ゴールは、少なくとも奥面と左側面と右側面とで囲まれた球技用のゴールであって、上辺と下辺と左辺と右辺とによって囲まれ、手前側になるほど低くなるように傾斜した矩形平面状の形状を有するとともに、左辺が左側面と接続し、右辺が右側面と接続し、下辺はゴールと接続しない補助ネットを、備える。【０００９】  上記の構成において、補助ネットは、矩形平面状の形状を有するため、簡素であり、低コストで製造でき、取り付けも用意であり、収納する際に嵩張らない。補助ネットは、手前側になるほど低くなるように傾斜した矩形平面を構成するため、補助ネットに沿って下降するボールを手前側に誘導できる。補助ネットに沿って下降したボールは、地面に落下し、そのまま慣性によって地面上を手前側に向けて転がることとなる。従って、ゴールの手前側にてシュート練習をしている練習者が取りに行きやすい位置にボールを誘導できる。【００１０】  補助ネットの左辺と右辺とはそれぞれ球技用ゴールの左側面と右側面に拘束されるのに対して、補助ネットの下辺は球技用ゴールに拘束されない。そのため、補助ネットは重力によって下辺の左右中央部が最も下方に変位するように下側に凸となるように変形し、当該変形した補助ネット上において下方に落下しようとするボールを左右中央寄りの位置へと誘導できる。その結果、球技用ゴールの手前側かつ左右中央寄りの位置にボールを誘導でき、練習者が球技用ゴールの手前側のどこにいても取りに行きやすい位置にボールを誘導できる。例えば、球技用ゴールの左手前側から放ったボールは球技用ゴールの右側へ向けて進行することとなるが、勢いを失ってボールが補助ネットに沿って下降する際には、球技用ゴールの左側の練習者でも取りに行きやすい左右中央寄りの位置にボールを誘導できる。なお、勢いが失われることなくボールが左側面と右側面に衝突する場合でも、最終的には、ボールが補助ネットに沿って下降することとなるため、中央寄りの位置にボールを誘導できる。【００１１】  球技用ゴールは、少なくとも奥面と左側面と右側面とで囲まれ、手前側からボールが進入可能な構造を有していればよく、奥面と左側面と右側面の他に上面を備えてもよい。また、奥面と上面とが一個の湾曲面を構成してもよい。ゴールの各面は、ゴールネットと当該ゴールネットが取り付けられるフレーム体とによって構成されてもよい。また、ゴールの各面は、必ずしもゴールネットによって構成されなくてもよく、例えば板材によって構成されてもよい。補助ネットの左辺と右辺とは、それぞれ左右のサイドネットのみに接続してもよいし、左右のサイドネットを支持するフレーム体（ゴールポスト等）とも接続してもよい。補助ネットの左辺と右辺とがそれぞれ左右のサイドネットのみに接続する場合、左右のサイドネットが左右中央寄りに変��することにより、補助ネットの変形量を増大させることができ、確実に左右中央寄りの位置にボールを誘導できる。【００１２】  ここで、補助ネットの勾配は、地面に対する角度が２０度〜７０度が望ましく、３０度〜６０度がより望ましい。また、補助ネットの上辺は、ゴールの奥面や上面と接続してもよいし、ゴールのいずれの部分とも接続しなくてもよい。補助ネットの各辺をゴールの各面と接続するにあたり、補助ネットの各辺をゴールの各面とを連続的に接続してもよいし、有限個数の接続点にて接続してもよい。有限個数の接続点にて接続する場合、ボールが補助ネットの裏側にすり抜けることができない程度の隙間が接続点同士の間に設けられてもよい。接続点を、使用するボールの最大断面の円周／２以下の間隔で配置することにより、ボールが補助ネットの裏側にすり抜けることを防止できる。むろん、接続点をボールの直径以下の間隔で配置してもよい。【００１３】  補助ネットの下辺の全体が球技用ゴールのいずれの部分とも接続しないことにより、補助ネットの下辺の左右中央部が左右の端の部分よりも低い位置に垂れ下がることとなる。このとき、補助ネットの下辺の左右中央部が空中に浮くように構成されてもよいし、補助ネットの下辺の左右中央部が地面と接触するように構成されてもよい。また、補助ネットの下辺と地面との間の隙間の高さがボールの直径以下であれば、ボールが補助ネットの裏側へとすり抜けることを防止できる。【００１４】  ここで、補助ネットは、左辺が左側面から取り外され、右辺が右側面から取り外され、上辺が奥面と接続した状態において、奥面に保持されてもよい。補助ネットの左辺と右辺とが球技用ゴールから取り外された状態において、補助ネットが奥面に保持されるため、奥面に向かって放たれたボールの進行を補助ネットが妨げないようにすることができ、通常の球技用ゴールとして使用できる。補助ネットは、折り畳まれない状態、または、折り畳まれた状態で奥面に沿って保持されてもよいし、巻き取った状態で奥面に保持されてもよい。【００１５】  また、補助ネットは、左辺が左側面から取り外され、右辺が右側面から取り外され、上辺が奥面と接続した状態において、奥面の少なくとも一部を構成してもよい。このようにすることにより、通常の球技用ゴールとして使用する場合には奥面の一部または全体として補助ネットを使用でき、シュート練習をする場合にはボールを練習者の側に誘導するためのネットとして補助ネットを使用できる。【００１６】  さらに、補助ネットは、左辺が左側面と着脱可能であり、右辺が右側面と着脱可能であり、上辺が奥面と着脱可能であってもよい。これにより、補助ネットを使用しない場合には、補助ネットの全体をゴールから取り外すことができる。【００１７】  さらに、左辺と左側面のそれぞれにおいて複数備えられた環状部に紐を通すことにより左辺と左側面とが接続してもよい。同様に、右辺と右側面のそれぞれにおいて複数備えられた環状部に紐を通すことにより右辺と右側面とが接続してもよい。これにより、左辺と左側面、および、右辺と右側面をそれぞれ着脱可能とすることができる。
【図面の簡単な説明】
【００１８】
【図１】第１実施形態にかかる補助ネットと球技用ゴールの斜視図である。
【図２】図２Ａは補助ネットの鉛直断面図、図２Ｂは補助ネットの平面図である。
【図３】図３Ａ，図３Ｂは着脱接続点を示す図である。
【図４】第２実施形態にかかる補助ネットと球技用ゴールの斜視図である。
【図５】第３実施形態にかかる補助ネットと球技用ゴールの斜視図である。
【図６】第４実施形態にかかる補助ネットと球技用ゴールの斜視図である。
【発明を実施するための形態】
【００１９】  以下、本発明の実施の形態について、図面を参照しながら説明する。なお、この実施の形態によって本発明が限定されるものではない。
【００２０】  （１）第１実施形態：
図１は、本発明の一実施形態にかかる補助ネット３０および球技用ゴール１の斜視図である。球技用ゴール１は、フレーム体１１とゴールネット１２とを備えている。図の簡略化のため、ゴールネット１２の線を図示しないこととする。フレーム体１１にゴールネット１２を取り付けることにより、奥面１Ｂと左側面１Ｌと右側面１Ｒとが形成される。すなわち、球技用ゴール１は、奥面１Ｂと左側面１Ｌと右側面１Ｒとで囲まれている。本実施形態において、上方部分がほぼ水平となるように奥面１Ｂが湾曲している。
【００２１】  球技用ゴール１は、手前側に矩形状の開口Ｏを有しており、フレーム体１１のうち当該開口Ｏの上端を区切る部分がクロスバーであり、当該開口Ｏの左右の端を区切る部分がゴールポストである。球技用ゴール１に向けて放たれたボールは、開口Ｏを通過して球技用ゴール１内に進入する。
【００２２】  球技用ゴール１には補助ネット３０が取り付けられている。補助ネット３０は、上辺３０Ｕと下辺３０Ｇと左辺３０Ｌと右辺３０Ｒとによって囲まれ、手前側になるほど低くなるように傾斜した矩形平面状の形状を有する。ただし、補助ネット３０は、球技用ゴール１に取り付けられた状態において重力によって下方に弛んだ形状となる。補助ネット３０は、左辺３０Ｌが球技用ゴール１の左側面１Ｌと接続し、右辺３０Ｒが右側面１Ｒと接続し、下辺３０Ｇは球技用ゴール１と接続していない。また、補助ネット３０の上辺３０Ｕが球技用ゴール１の奥面１Ｂと接続している。
【００２３】  本実施形態において、補助ネット３０の上辺３０Ｕと左辺３０Ｌと右辺３０Ｒは、ゴールネット１２と接続し、フレーム体１１とは直接接続していない。すなわち、補助ネット３０の左辺３０Ｌと右辺３０Ｒは、それぞれ左サイドネットと右サイドネットと接続している。また、補助ネット３０の上辺３０Ｕとは、ゴールネット１２のうち奥面１Ｂを構成する部分と接続している。なお、補助ネット３０の上辺３０Ｕと左辺３０Ｌと右辺３０Ｒは、必ずしもゴールネット１２のみと接続しなくてもよく、例えば上辺３０Ｕと左辺３０Ｌと右辺３０Ｒの端部がフレーム体１１と接続してもよい。
【００２４】  本実施形態において、補助ネット３０の横幅（左辺３０Ｌと右辺３０Ｒとの距離）は、球技用ゴール１の左側面１Ｌと右側面１Ｒとの距離と同じである。また、本実施形態において、補助ネット３０は、地面に対する角度が４５度となるように傾斜している。また、補助ネット３０の下辺３０Ｇと地面との間の隙間の高さがボールの直径以下となっている。従って、ボールが補助ネット３０よりも奥方にすり抜けることによって、手前側に誘導されなくなることを防止できる。
【００２５】  図２Ａは、球技用ゴール１に取り付けた状態の補助ネット３０の鉛直断面図である。図２Ａにおいて、図の簡略化のため補助ネット３０の断面を連続的な線で示す。本実施形態の構成において、補助ネット３０の左辺３０Ｌと右辺３０Ｒとはそれぞれ球技用ゴール１の左側面と右側面に拘束されるのに対して、補助ネット３０の下辺３０Ｇは球技用ゴール１に拘束されない。そのため、図２Ａに示すように、補助ネット３０は重力によって下辺３０Ｇの左右中央部が最も下方に変位し、下側に凸となるように変形する。
【００２６】  図２Ｂは、球技用ゴール１に取り付けた状態の補助ネット３０を鉛直上方から見た平面図である。図２Ｂにおいて、図の簡略化のため補助ネット３０を連続的な面で示す。図２Ａのように変形した補助ネット３０上においてボールＱが下方に落下しようとするため、図２Ｂにて矢印で示すようにボールＱを左右中央寄りの位置へと誘導できる。その結果、ゴールの手前側かつ左右中央寄りの位置にボールＱを誘導でき、練習者が球技用ゴール１の手前側のどこにいても取りに行きやすい位置にボールを誘導できる。なお、ボールＱの重みによって補助ネット３０が図２Ａの形状から変化し得るが、補助ネット３０の重さを大きくすることによりボールＱの重みによる形状の変化を抑制してもよい。
【００２７】  次に、補助ネット３０と球技用ゴール１との接続方法について説明する。本実施形態において、補助ネット３０と球技用ゴール１との接続は、ネット同士の接続となる。図１において、補助ネット３０と球技用ゴール１との接続点Ｗ，Ｖを黒丸または白丸で示す。黒丸で示す接続点は着脱不能な固定接続点Ｗであり、白丸で示す接続点は着脱可能な着脱接続点Ｖである。
【００２８】  接続点Ｗ，Ｖは、補助ネット３０の左辺３０Ｌと上辺３０Ｕと右辺３０Ｒ上に並ぶ複数の点であり、隣接する接続点Ｗ，Ｖ同士の間隔は、すべて使用するボールＱの最大断面の円周／２と同じ長さなっている。これにより、補助ネット３０とゴールネット１２が変形しても、隣接する接続点Ｗ，Ｖの間をボールＱがすり抜けることを防止できる。従って、ボールＱが補助ネット３０よりも奥方にすり抜けることによって、手前側に誘導されなくなることを防止できる。
【００２９】  補助ネット３０の上辺３０Ｕと奥面１Ｂとが固定接続点Ｗによって接続されている。固定接続点Ｗの接続方法は特に限定されず、例えば縫合であってもよいし、結束バンドによる結束であってもよいし、接着であってもよいし、溶着であってもよい。
【００３０】  図３Ａは、補助ネット３０の左辺３０Ｌとゴールネット１２（左サイドネット）とを接続する着脱接続点Ｖを示す図である。同図に示すように、補助ネット３０の左辺３０Ｌには、着脱接続点Ｖごとに第１環状部Ｖ１が取り付けられている。ゴールネット１２における着脱接続点Ｖに対応する位置には第２環状部Ｖ２が取り付けられている。第１環状部Ｖ１と第２環状部Ｖ２は、それぞれ中央に貫通穴が形成された環状部材であり、互いに同一の形状となっている。第１環状部Ｖ１と第２環状部Ｖ２を、補助ネット３０の左辺３０Ｌとゴールネット１２に固定する手法は、結束バンドによる結束であってもよいし、接着であってもよいし、溶着であってもよい。
【００３１】  図３Ａに示すように、第１環状部Ｖ１と第２環状部Ｖ２とが重なった状態で、第１環状部Ｖ１と第２環状部Ｖ２の貫通穴に紐Ｓを通すことにより、補助ネット３０の左辺３０Ｌとゴールネット１２が接続する。第１環状部Ｖ１と第２環状部Ｖ２とは、補助ネット３０の左辺３０Ｌに沿って複数対備えられるため、補助ネット３０の左辺３０Ｌとゴールネット１２とを接続できる。また、紐Ｓが第１環状部Ｖ１と第２環状部Ｖ２から抜けないように、紐Ｓの両端がフレーム体１１等に固定される。例えば、紐Ｓの両端がフレーム体１１に結び付けられてもよいし、フックやカラビナ等によって固定されてもよい。
【００３２】  以上のように、補助ネット３０の左辺３０Ｌと左側面１Ｌのそれぞれにおいて複数備えられた第１環状部Ｖ１と第２環状部Ｖ２に紐Ｓを通すことにより左辺３０Ｌと左側面１Ｌとが接続する。図示しないが、図３Ａと同様に、補助ネット３０の右辺３０Ｒと右側面１Ｒのそれぞれにおいて複数備えられた第１環状部Ｖ１と第２環状部Ｖ２に紐Ｓを通すことにより右辺３０Ｒと右側面１Ｒとが接続する。第１環状部Ｖ１と第２環状部Ｖ２の形状は特に限定されず、円形であってもよいし、楕円形であってもよいし、多角形であってもよい。また、互いに対応する位置に配置された第１環状部Ｖ１と第２環状部Ｖ２の形状や色や模様を同一とし、かつ、他の第１環状部Ｖ１と第２環状部Ｖ２とは異なるようにしてもよい。
【００３３】  補助ネット３０の左辺３０Ｌを接続する紐Ｓをすべての第１環状部Ｖ１と第２環状部Ｖ２から引き抜くことにより、左辺３０Ｌと左側面１Ｌの接続を解除できる。補助ネット３０の右辺３０Ｒを接続する紐Ｓをすべての第１環状部Ｖ１と第２環状部Ｖ２から引き抜くことにより、右辺３０Ｒと右側面１Ｒの接続を解除できる。
【００３４】  そのため、補助ネット３０の左辺３０Ｌが左側面１Ｌから取り外され、右辺３０Ｒが右側面１Ｒから取り外され、上辺３０Ｕが奥面１Ｂと接続した状態とすることができる。この状態において、補助ネット３０は奥面１Ｂに保持される。具体的に、補助ネット３０を上辺３０Ｕにて上方に折り返し、奥面１Ｂにおける上辺３０Ｕとの接続線よりも上方の上方部１Ｂ１に密着させる。このとき、上方部１Ｂ１の左右の両端に備えられた複数の第３環状部Ｖ３（図１において白三角で図示）のそれぞれの位置に、補助ネット３０の左辺３０Ｌと右辺３０Ｒに備えられた複数の第１環状部Ｖ１のそれぞれが位置することとなる。
【００３５】  そして、第１環状部Ｖ１と第３環状部Ｖ３に紐Ｓを通すことにより、第１環状部Ｖ１と第３環状部Ｖ３とによって着脱接続点Ｖが形成される。図４は、補助ネット３０が奥面１Ｂの上方部１Ｂ１に接続された状態を示す。図４に示すように、第１環状部Ｖ１と第３環状部Ｖ３とによって形成された着脱接続点Ｖによって、補助ネット３０の左辺３０Ｌが奥面１Ｂの上方部１Ｂ１の左端と接続し、右辺３０Ｒが奥面１Ｂの上方部１Ｂ１の右端と接続する。一方、第２環状部Ｖ２（図４において黒三角で図示）は、第１環状部Ｖ１との接続が解除されている。
【００３６】  このように、補助ネット３０の左辺３０Ｌと右辺３０Ｒとが球技用ゴール１から取り外された状態において、補助ネット３０が奥面１Ｂに保持されるため、奥面１Ｂに向かって放たれたボールの進行を補助ネット３０が妨げないようにすることができ、通常の球技用ゴール１として使用できる。なお、第３環状部Ｖ３は、貫通穴を有すればよく、第１環状部Ｖ１と第２環状部Ｖ２と同様であってもよいし、異なってもよい。
【００３７】  また、図３Ｂに示すように、第１環状部Ｖ１と第２環状部Ｖ２の少なくとも一方の代わりに着脱冶具Ｘを取り付けてもよい。着脱冶具Ｘは、着脱時には一部分が開き、着脱が完了すると閉じた環となるように変化可能な冶具であればよく、例えばカラビナであってもよい。
【００３８】  （２）第２実施形態：
図５は、第２実施形態にかかる補助ネット１３０および球技用ゴール１０１の斜視図である。第１実施形態と第２実施形態との相違点は、第３環状部Ｖ３の位置である。第２実施形態において、補助ネット１３０を上辺１３０Ｕにて下方に折り、奥面１０１Ｂにおける上辺１３０Ｕとの接続線よりも下方の下方部１０１Ｂ２に密着させる。このとき、上方部１０１Ｂ１の左右の両端に備えられた複数の第３環状部Ｖ３のそれぞれの位置に、補助ネット１３０の左辺１３０Ｌと右辺１３０Ｒに備えられた複数の第１環状部Ｖ１のそれぞれが位置することとなる。
【００３９】  そして、第１環状部Ｖ１と第３環状部Ｖ３に紐Ｓを通すことにより、補助ネット１３０の左辺１３０Ｌが奥面１０１Ｂの下方部１０１Ｂ２の左端と接続し、右辺１３０Ｒが奥面１０１Ｂの下方部１０１Ｂ２の右端と接続する。このようにしても、奥面１０１Ｂに向かって放たれたボールの進行を補助ネット１３０が妨げないようにすることができ、通常の球技用ゴール１０１として使用できる。
【００４０】  なお、図５において、奥面１０１Ｂの下方部１０１Ｂ２よりも、補助ネット１３０の長さが長くなっている。このような場合、補助ネット１３０を水平方向の折り線で折り返して下方部１０１Ｂ２に保持してもよい。さらに、補助ネット１３０の複数の第１環状部Ｖ１を単一の第３環状部Ｖ３と接続することにより、補助ネット１３０を折り返した状態で下方部１０１Ｂ２に保持してもよい。例えば、図５において、下から２番目の第３環状部Ｖ３に対して下から１番目と３番目の２個の第１環状部Ｖ１を接続し、かつ、下から１番目の第３環状部Ｖ３に対して下から２番目の第１環状部Ｖ１を接続してもよい。これにより、補助ネット１３０を下から２番目の第１環状部Ｖ１の位置で上方に折り返すことができる。
【００４１】  （３）第３実施形態：
図６は、第３実施形態にかかる補助ネット２３０および球技用ゴール２０１の斜視図である。第１実施形態と第３実施形態との相違点は、補助ネット２３０の左辺２３０Ｌと右辺２３０Ｒだけでなく上辺２３０Ｕも着脱接続点Ｖによって球技用ゴール２０１と接続している点である。この場合、補助ネット２３０の左辺２３０Ｌと上辺２３０Ｕと右辺２３０Ｒとを一本の紐Ｓによって球技用ゴール２０１と接続することも可能となる。その場合、一本の紐Ｓを第１環状部Ｖ１と第２環状部Ｖ２から引き抜くことで、補助ネット２３０と球技用ゴール２０１との接続をすべて解除することができ、容易に補助ネット２３０を取り外すことができる。むろん、補助ネット２３０を取り外すことにより、通常の球技用ゴール２０１として使用できる。
【００４２】  （４）第４実施形態：
図７は、第４実施形態にかかる補助ネット３３０および球技用ゴール３０１の斜視図である。第２実施形態と第４実施形態との相違点は、奥面３０１Ｂのうち補助ネット３３０の上辺３３０Ｕよりも下方においてゴールネット３１２が存在していないことである。また、フレーム体３１１のうち奥面３０１Ｂの左右両端を構成する奥方柱ＢＬ，ＢＲに複数の第３環状部Ｖ３が備えられている。第３環状部Ｖ３は、補助ネット３３０の上辺３３０Ｕより下方の部分に配置されている。以上の構成において、補助ネット３３０は、左辺３３０Ｌが左側面３０１Ｌから取り外され、右辺３３０Ｒが右側面３０１Ｒから取り外され、上辺３３０Ｕが奥面３０１Ｂと接続した状態において、奥面３０１Ｂの少なくとも一部を構成する。
【００４３】  第１環状部Ｖ１と第２環状部Ｖ２とから紐Ｓを引き抜き、その代わりに第１環状部Ｖ１と奥方柱ＢＬ，ＢＲに備えられた第３環状部Ｖ３とに紐Ｓを貫通させることにより、補助ネット３３０の左辺３３０Ｌと右辺３３０Ｒとを奥方柱ＢＬ，ＬＲに接続する。これにより、補助ネット３３０が奥面３０１Ｂのうち上辺３３０Ｕより下方の下方部３０１Ｂ２を構成することができる。以上の構成によれば、ゴールネット３１２の面積を低減することができ、コストを低減できる。なお、補助ネット３３０が奥面３０１Ｂのうち上辺３３０Ｕより上方の上方部３０１Ｂ１を構成してもよい。
【００４４】  （５）他の実施形態：
第１実施形態においては、奥面１Ｂが湾曲していたが、奥面１Ｂが平面であってもよい。すなわち、奥面１Ｂは、フレーム体１１のクロスバーから斜め奥方に傾斜する平面であってもよい。また、球技用ゴール１は、奥面１Ｂの他にクロスバーから奥方に延びる水平面（上面）を備えてもよく、当該水平面の奥方側の端部に平面の奥面１Ｂの上端が接続してもよい。
【符号の説明】
【００４５】１…球技用ゴール
１Ｂ…奥面
１Ｌ…左側面
１Ｒ…右側面
１１…フレーム体
１２…ゴールネット
３０…補助ネット
３０Ｇ…下辺
３０Ｌ…左辺
３０Ｒ…右辺
３０Ｕ…上辺
Ｏ…開口
Ｑ…ボール
Ｓ…紐
Ｖ…着脱接続点
Ｖ１…第１環状部
Ｖ２…第２環状部
Ｖ３…第３環状部
【図１】
2018108268.tif 000003
【図２】
2018108268.tif 000004
【図３】
2018108268.tif 000005
【図４】
2018108268.tif 000006
【図５】
2018108268.tif 000007
【図６】
2018108268.tif 000008
【図７】
2018108268.tif 000009
【手続補正書】
【提出日】平成29年3月25日(2017.3.25)
【手続補正２】
【補正対象書類名】明細書
【補正対象項目名】００１８
【補正方法】変更
【補正の内容】
【００１８】
【図１】第１実施形態にかかる補助ネットと球技用ゴールの斜視図である。
【図２】図２Ａは補助ネットの鉛直断面図、図２Ｂは補助ネットの平面図である。
【図３】図３Ａ，図３Ｂは着脱接続点を示す図である。
【図４】補助ネットが奥面の上方部に接続された状態を示す図である。
【図５】第２実施形態にかかる補助ネットと球技用ゴールの斜視図である。
【図６】第３実施形態にかかる補助ネットと球技用ゴールの斜視図である。
【図７】第４実施形態にかかる補助ネットと球技用ゴールの斜視図である。